(57)【要約】【課題】  スイッチのＯＦＦ操作直後、当該スイッチに衝撃や振動が加わると、チャタリング等の影響により、瞬間的に固定接点と可動接点とがＯＮ状態となる誤動作を停止する非常停止スイッチを提供する。【解決手段】  非常停止スイッチにおいて、スイッチのＯＮ状態において、固定接点１１と可動接点１２とが接触する方向へ付勢し、スイッチの転換子１３の押し下げ操作後、前記固定接点１１と可動接点１２との間に絶縁性保持板（遮蔽板）１４を挿入する。【選択図】  図５
2018055962.tif 000002
【特許請求の範囲】
【請求項１】
スイッチのＯＮ状態において、固定接点と可動接点とが接触する方向へ付勢し、スイッチの転換子の押し下げ操作後、前記固定接点と可動接点との間に絶縁性保持板を挿入することを特徴とする非常停止スイッチ。
【請求項２】
請求項１記載の非常停止スイッチにおいて、前記押し下げ操作により転換子が押し下げ方向に作用すると、カム機構により絶縁性保持板が押し下げ方向と直交する方向に広がり、固定接点と可動接点との間に絶縁性保持板が入り込むことを特徴とする非常停止スイッチ。
【発明の詳細な説明】
【技術分野】
【０００１】
本発明は、スイッチのＯＦＦ操作直後、当該スイッチに衝撃や振動が加わると、チャタリング等の影響により、瞬間的に固定接点と可動接点とがＯＮ状態となる誤動作を停止する非常停止スイッチに関するものである。
【背景技術】
【０００２】
従来、非常停止スイッチは、例えば、図６及び図７（下記特許文献２参照）に示されているように、ノーマル状態（ＯＮ状態）では可動接点を有する第１の板バネと一体になっている第２の板バネが下方の転換子と接することにより変位され、可動接点と固定接点との間の接触力を生み出している。また、ノーマル状態（ＯＮ状態）では、略Ｌ字状の第１の板バネは可動接点が固定接点から開離する方向に付勢力を発生するように、撓んだ状態である。また、ロック状態（ＯＦＦ状態）ではボタン操作と連動している上方の転換子が下方向に作用し、第１の板バネの変位および第２の板バネとプランジャの変位がそれぞれ０となる（第１の板バネによる下方向のエネルギーが小さくなる）。
【先行技術文献】
【特許文献】
【０００３】
【特許文献１】特許第３９０９０８２号公報
【特許文献２】特許第５３４０８９２号公報
【発明の概要】
【発明が解決しようとする課題】
【０００４】
しかしながら、従来の非常停止スイッチは、上記特許文献１，２に示されているように、スイッチのＯＦＦ操作後に各変位が０に向かうため、固定接点と可動接点とが開離する方向のエネルギーは小さくなり、スイッチのＯＦＦ操作直後に固定接点と可動接点とがＯＮ状態となる虞がある。
【０００５】
本発明は、上記状況に鑑みて、スイッチのＯＦＦ操作直後の外的な衝撃や振動によるチャタリング等の影響を低減してスイッチの誤動作を回避できる非常停止スイッチを提供することを目的とする。
【課題を解決するための手段】
【０００６】
本発明は、上記目的を達成するために、
〔１〕非常停止スイッチにおいて、スイッチのＯＮ状態において、固定接点と可動接点とが接触する方向へ付勢し、スイッチの転換子の押し下げ操作後、前記固定接点と可動接点との間に絶縁性保持板を挿入することを特徴とする。
【０００７】
〔２〕上記〔１〕記載の非常停止スイッチにおいて、前記押し下げ操作により転換子が押し下げ方向に作用すると、カム機構により絶縁性保持板が押し下げ方向と直交する方向に広がり、固定接点と可動接点との間に絶縁性保持板が入り込むことを特徴とする。
【発明の効果】
【０００８】
本発明によれば、次のような効果を奏することができる。
【０００９】
スイッチの転換子の押し下げ操作後に衝撃や振動が加わっても、固定接点と可動接点との間に挿入された絶縁性保持板（遮蔽板）が瞬間的に固定接点と可動接点とがＯＮ状態となることを停止することができ、安全性の向上を図ることができる。
【００１０】
また、ＯＮ状態からＯＦＦ状態への移行時に固定接点と可動接点との間にアークが発生した場合であっても、絶縁性保持板（遮蔽板）により固定接点と可動接点との間に発生したアークの遮断が可能である。
【図面の簡単な説明】
【００１１】
【図１】本発明の実施例を示す非常停止スイッチの分解された全体部品の斜視図である。
【図２】本発明の要部を示す開閉部のノーマル状態を示す斜視図である。
【図３】本発明の要部を示す開閉部のロック状態を示す斜視図である。
【図４】本発明の要部を示す開閉部のノーマル状態を示す断面図である。
【図５】本発明の要部を示す開閉部のロック状態を示す断面斜視図である。
【図６】従来例としての特許文献２（特許第５３４０８９２号) の開閉部の内部（Ｘ線で撮影）のノーマル状態を示す図である。
【図７】従来例としての特許文献２（特許第５３４０８９２号) の開閉部の内部（Ｘ線で撮影）のロック状態を示す図である。
【発明を実施するための形態】
【００１２】
本発明の非常停止スイッチは、スイッチのＯＮ状態において、固定接点と可動接点とが接触する方向へ付勢し、スイッチの転換子の押し下げ操作後、前記固定接点と可動接点との間に絶縁性保持板（遮蔽板）を挿入する。
【実施例】
【００１３】
以下、本発明の実施の形態について詳細に説明する。
【００１４】
図１は本発明の実施例を示す非常停止スイッチの分解された全体部品の斜視図である。
【００１５】
この図において、１は操作ボタン、２はコイルバネＡ、３はネジリコイルバネ、４はプランジャ、５はバネ、６は防水ゴム、７はハウジング、８は丸ナット、１０は本発明の実施例の要部を示す非常停止スイッチの開閉部、１１〜１７はその開閉部を構成する部品であり、１１は固定接点、１２は可動接点、１３は転換子、１４は絶縁性保持板（遮蔽板）、１５はコイルバネＢ、１６はコイルバネＣ、１７はケースである。
【００１６】
図２は本発明の要部を示す開閉部のノーマル状態を示す斜視図、図３は本発明の要部を示す開閉部のロック状態を示す斜視図、図４は本発明の要部を示す開閉部のノーマル状態を示す断面図、図５は本発明の要部を示す開閉部のロック状態を示す断面斜視図である。
【００１７】
ここで、図４における開閉部のノーマル状態では、固定接点１１と、可動接点１２とは接触してスイッチはＯＮ状態にあり、図５における開閉部のロック状態では転換子１３の押し下げ操作後、固定接点１１と可動接点１２の間に絶縁性保持板（遮蔽板）１４を挿入する。つまり、転換子１３が図中下方向に作用すると、カム機構により、絶縁性保持板（遮蔽板）１４が図中左右に広がり、固定接点１１と可動接点１２との間に絶縁性保持板（遮蔽板）１４が入り込むように構成した。
【００１８】
このように構成したので、本発明によれば、スイッチの転換子の押し下げ操作後に衝撃や振動が加わっても、固定接点と可動接点との間に挿入された絶縁性保持板（遮蔽板）が瞬間的に固定接点と可動接点とがＯＮ状態となることを防止でき、安全性の向上を図ることができる。
【００１９】
また、ＯＮ状態からＯＦＦ状態への移行時にアークが発生した場合であっても、挿入された絶縁性保持板（遮蔽板）により固定接点と可動接点との間のアークの遮断が可能である。
【００２０】
なお、本発明は上記実施例に限定されるものではなく、本発明の趣旨に基づき種々の変形が可能であり、これらを本発明の範囲から排除するものではない。
【産業上の利用可能性】
【００２１】
本発明の非常停止スイッチは、スイッチの転換子の押し下げ操作後に衝撃や振動が加わっても、固定接点と可動接点との間に挿入された絶縁性保持板（遮蔽板）が瞬間的に固定接点と可動接点とがＯＮ状態となることを防止でき、安全性が向上した非常停止スイッチとして利用可能である。
【符号の説明】
【００２２】
１  操作ボタン
２  コイルバネＡ
３  ネジリコイルバネ
４  プランジャ
５  バネ
６  防水ゴム
７  ハウジング
８  丸ナット
１０  非常停止スイッチの開閉部
１１  固定接点
１２  可動接点
１３  転換子
１４  絶縁性保持板（遮蔽板）
１５  コイルバネＢ
１６  コイルバネＣ
１７  ケース
【図１】
2018055962.tif 000003
【図２】
2018055962.tif 000004
【図３】
2018055962.tif 000005
【図４】
2018055962.tif 000006
【図５】
2018055962.tif 000007
【図６】
2018055962.tif 000008
【図７】
2018055962.tif 000009